(57)【要約】【課題】注文処理を効率的に実行することができる注文処理端末及び表示制御プログラム並びに注文処理方法の提供。【解決手段】選択された画像ファイルを複数の記録媒体に振り分けて書き込む場合において、書き込み済みの記録媒体を特定する履歴情報を生成する履歴情報生成手段１７と、画像ファイルの書き込みを指示する書き込み指示画面を表示させる際に画像ファイルの書き込みを行う記録媒体を個々に選択させるためのボタンを表示したり、履歴情報を参照して書き込み済みの記録媒体に対応するボタンを表示させない又は選択できないように表示させる制御や該ボタンに対応付けて書き込み済みであることを示す情報を表示させる制御を行う表示制御手段１９とを少なくとも備え、書き込み指示画面での記録媒体の選択を可能にし、書き込み作業中での他の作業の割り込みを可能にして注文処理を効率的に実行させる。【選択図】図７
2006146383.tif 000002
【特許請求の範囲】
【請求項１】
少なくとも、ユーザから提供された画像ファイルを複数の記録媒体に振り分けて書き込む注文の処理を行う注文処理端末において、
表示手段に、前記画像ファイルの書き込みを行う記録媒体を個々に選択させるためのボタンが設けられた書き込み指示画面を表示させる表示制御手段を少なくとも備えることを特徴とする注文処理端末。
【請求項２】
少なくとも、ユーザから提供された画像ファイルを複数の記録媒体に振り分けて書き込む注文の処理を行う注文処理端末において、
前記複数の記録媒体の内、前記画像ファイルの書き込みが行われた記録媒体を特定する履歴情報を生成する手段と、
表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンを表示させない制御を行う表示制御手段と、を少なくとも備えることを特徴とする注文処理端末。
【請求項３】
少なくとも、ユーザから提供された画像ファイルを複数の記録媒体に振り分けて書き込む注文の処理を行う注文処理端末において、
前記複数の記録媒体の内、前記画像ファイルの書き込みが行われた記録媒体を特定する履歴情報を生成する手段と、
表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンを選択できないように表示させる制御を行う表示制御手段と、を少なくとも備えることを特徴とする注文処理端末。
【請求項４】
少なくとも、ユーザから提供された画像ファイルを複数の記録媒体に振り分けて書き込む注文の処理を行う注文処理端末において、
前記複数の記録媒体の内、前記画像ファイルの書き込みが行われた記録媒体を特定する履歴情報を生成する手段と、
表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンに対応付けて、該記録媒体が書き込み済みであることを示す情報を表示させる制御を行う表示制御手段と、を少なくとも備えることを特徴とする注文処理端末。
【請求項５】
前記表示制御手段は、前記書き込み指示画面に、前記注文処理端末で受け付けた注文を管理する注文管理画面に遷移させるボタンを表示させることを特徴とする請求項１乃至４のいずれか一に記載の注文処理端末。
【請求項６】
ユーザから提供された画像ファイルを複数の記録媒体に振り分けて書き込む注文の処理に際して、
コンピュータを、
表示手段に、前記画像ファイルの書き込みを行う記録媒体を個々に選択させるためのボタンが設けられた書き込み指示画面を表示させる表示制御手段、として機能させることを特徴とする表示制御プログラム。
【請求項７】
ユーザから提供された画像ファイルを複数の記録媒体に振り分けて書き込む注文の処理に際して、
コンピュータを、
前記複数の記録媒体の内、前記画像ファイルの書き込みが行われた記録媒体を特定する履歴情報を生成する手段、
表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンを表示させない制御を行う表示制御手段、として機能させることを特徴とする表示制御プログラム。
【請求項８】
ユーザから提供された画像ファイルを複数の記録媒体に振り分けて書き込む注文の処理に際して、
コンピュータを、
前記複数の記録媒体の内、前記画像ファイルの書き込みが行われた記録媒体を特定する履歴情報を生成する手段、
表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンを選択できないように表示させる制御を行う表示制御手段、として機能させることを特徴とする表示制御プログラム。
【請求項９】
ユーザから提供された画像ファイルを複数の記録媒体に振り分けて書き込む注文の処理に際して、
コンピュータを、
前記複数の記録媒体の内、前記画像ファイルの書き込みが行われた記録媒体を特定する履歴情報を生成する手段、
表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンに対応付けて、該記録媒体が書き込み済みであることを示す情報を表示させる制御を行う表示制御手段、として機能させることを特徴とする表示制御プログラム。
【請求項１０】
前記表示制御手段は、前記書き込み指示画面に、注文処理端末で受け付けた注文を管理する注文管理画面に遷移させるボタンを表示させることを特徴とする請求項６乃至９のいずれか一に記載の表示制御プログラム。
【請求項１１】
表示手段に、注文処理端末で受け付けた注文を管理する注文管理画面を表示するステップと、
前記注文管理画面で、ユーザから提供された画像ファイルを複数の記録媒体に振り分けて書き込む注文が選択された場合に、表示手段に、前記画像ファイルの書き込みを行う記録媒体を個々に選択させるためのボタンが設けられた書き込み指示画面を表示するステップと、
選択された前記ボタンに対応する前記記録媒体に対して、振り分けられた前記画像ファイルを書き込むステップと、を少なくとも有することを特徴とする注文処理方法。
【請求項１２】
表示手段に、注文処理端末で受け付けた注文を管理する注文管理画面を表示するステップと、
前記注文管理画面で、ユーザから提供された画像ファイルを複数の記録媒体に振り分けて書き込む注文が選択された場合に、表示手段に、前記画像ファイルの書き込みを行う記録媒体を個々に選択させるためのボタンが設けられた書き込み指示画面を表示するステップと、
選択された前記ボタンに対応する前記記録媒体に対して、振り分けられた前記画像ファイルを書き込むステップと、
前記画像ファイルの書き込みが行われた前記記録媒体を特定する履歴情報を生成するステップと、を少なくとも備え、
書き込み指示画面を表示するステップでは、前記画像ファイルの書き込み後に前記書き込み指示画面を表示する際に、前記履歴情報を参照して、書き込み済みの記録媒体に対応する前記ボタンを表示させない制御を行うことを特徴とする注文処理方法。
【請求項１３】
表示手段に、注文処理端末で受け付けた注文を管理する注文管理画面を表示するステップと、
前記注文管理画面で、ユーザから提供された画像ファイルを複数の記録媒体に振り分けて書き込む注文が選択された場合に、表示手段に、前記画像ファイルの書き込みを行う記録媒体を個々に選択させるためのボタンが設けられた書き込み指示画面を表示するステップと、
選択された前記ボタンに対応する前記記録媒体に対して、振り分けられた前記画像ファイルを書き込むステップと、
前記画像ファイルの書き込みが行われた前記記録媒体を特定する履歴情報を生成するステップと、を少なくとも備え、
書き込み指示画面を表示するステップでは、前記画像ファイルの書き込み後に前記書き込み指示画面を表示する際に、前記履歴情報を参照して、書き込み済みの記録媒体に対応する前記ボタンを選択できないように表示させる制御を行うことを特徴とする注文処理方法。
【請求項１４】
表示手段に、注文処理端末で受け付けた注文を管理する注文管理画面を表示するステップと、
前記注文管理画面で、ユーザから提供された画像ファイルを複数の記録媒体に振り分けて書き込む注文が選択された場合に、表示手段に、前記画像ファイルの書き込みを行う記録媒体を個々に選択させるためのボタンが設けられた書き込み指示画面を表示するステップと、
選択された前記ボタンに対応する前記記録媒体に対して、振り分けられた前記画像ファイルを書き込むステップと、
前記画像ファイルの書き込みが行われた前記記録媒体を特定する履歴情報を生成するステップと、を少なくとも備え、
書き込み指示画面を表示するステップでは、前記画像ファイルの書き込み後に前記書き込み指示画面を表示する際に、前記履歴情報を参照して、書き込み済みの記録媒体に対応する前記ボタンに対応付けて、該記録媒体が書き込み済みであることを示す情報を表示させる制御を行うことを特徴とする注文処理方法。
【請求項１５】
前記書き込み指示画面を表示するステップでは、前記書き込み指示画面に、前記注文管理画面に遷移させるボタンを表示させ、前記複数の記録媒体の一部に前記画像ファイルが書き込まれた状態で、他の作業の割り込みを可能にすることを特徴とする請求項１１乃至１４のいずれか一に記載の注文処理方法。
【発明の詳細な説明】
【技術分野】
【０００１】
本発明は、注文処理端末及び表示制御プログラム並びに注文処理方法に関する。
【背景技術】
【０００２】
近年、写真に関連する様々なサービスが提供されるようになってきている。例えば、ユーザがデジタルカメラで写真を撮影し、画像ファイルが記録されたデジタルカメラやデジタルカメラ用メディア、画像ファイルをバックアップしたＣＤ−Ｒなどをミニラボ等の写真店に持ち込むと、写真店では受付端末を用いてデジタルカメラやメディア、ＣＤ−Ｒから画像ファイルを読み取り、読み取った画像ファイルを用いて高精細な写真プリントを作成したり、該画像ファイルを他のＣＤ−Ｒなどの記録媒体に記録するなどの処理を行う。また、店舗内に設置されたキオスク（無人の受付端末）を用いれば、上記写真プリントの作成や記録媒体への書き込みなどの処理をユーザ自身で行うこともできる（上記無人の受付端末に関しては、例えば、下記特許文献１参照）。
【０００３】
更に、読み取った画像データのみを記録媒体に記録するのではなく、これらの画像データを音楽付きスライドショーとして表示するためのアプリケーションや音楽ファイルも併せて記録媒体に記録することもできる。
【０００４】
【特許文献１】特開平１１−８８１７号公報（第３−４頁、第１図）
【発明の開示】
【発明が解決しようとする課題】
【０００５】
上記受付端末を用いて注文を行う場合、デジタルカメラやメディア、ＣＤ−Ｒから読み取った画像ファイルの画像が画面上に表示され、その中から写真プリントの作成や記録媒体の作成の対象となる画像ファイルを選択することになるが、記録媒体を作成する場合、記録媒体に記録可能な画像ファイルの量は限られているため、例えば、多数の画像ファイルが選択されると１枚の記録媒体内に全ての画像ファイルを書き込むことができなくなり、また、画像ファイルを音楽付きスライドショーとして再生する場合には、画像ファイルの数量が多すぎると１枚の画像を表示する時間が短くなり、スライドショーの見栄えが悪くなる。そこで、そのような不具合を防止するために、受付端末で、選択された画像ファイルの容量又は数量が予め定められた容量又は数量を超過している場合に、選択された画像ファイルを複数の記録媒体に振り分けて記録する制御が行われる。
【０００６】
ここで、選択された画像ファイルが複数の記録媒体に振り分けて記録される場合、従来の受付端末では、予め定められた順番で複数の記録媒体に対して書き込みが行われるため、注文を処理するオペレータが書き込みの順番を変更することができない。
【０００７】
また、一旦書き込みを中断して他の作業を実行した場合には、何枚目の記録媒体まで書き込みを行ったかにかかわらず再度１枚目の記録媒体から書き込みを行わなければならないため、複数の記録媒体の全てに画像ファイルが記録されるまで写真プリントの作成などの他の作業を実行することができず、注文処理を効率的に実行することができないという問題があった。
【０００８】
本発明は、上記問題点に鑑みてなされたものであって、その主たる目的は、画像ファイルが複数の記録媒体に振り分けて書き込まれる場合において、注文処理を効率的に実行することができる注文処理端末及び表示制御プログラム並びに注文処理方法を提供することにある。
【課題を解決するための手段】
【０００９】
上記目的を達成するため、本発明の注文処理端末は、少なくとも、ユーザから提供された画像ファイルを複数の記録媒体に振り分けて書き込む注文の処理を行う注文処理端末において、表示手段に、前記画像ファイルの書き込みを行う記録媒体を個々に選択させるためのボタンが設けられた書き込み指示画面を表示させる表示制御手段を少なくとも備えるものである。
【００１０】
また、本発明の注文処理端末は、少なくとも、ユーザから提供された画像ファイルを複数の記録媒体に振り分けて書き込む注文の処理を行う注文処理端末において、前記複数の記録媒体の内、前記画像ファイルの書き込みが行われた記録媒体を特定する履歴情報を生成する手段と、表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンを表示させない制御を行う表示制御手段と、を少なくとも備えるものである。
【００１１】
また、本発明の注文処理端末は、少なくとも、ユーザから提供された画像ファイルを複数の記録媒体に振り分けて書き込む注文の処理を行う注文処理端末において、前記複数の記録媒体の内、前記画像ファイルの書き込みが行われた記録媒体を特定する履歴情報を生成する手段と、表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンを選択できないように表示させる制御を行う表示制御手段と、を少なくとも備えるものである。
【００１２】
また、本発明の注文処理端末は、少なくとも、ユーザから提供された画像ファイルを複数の記録媒体に振り分けて書き込む注文の処理を行う注文処理端末において、前記複数の記録媒体の内、前記画像ファイルの書き込みが行われた記録媒体を特定する履歴情報を生成する手段と、表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンに対応付けて、該記録媒体が書き込み済みであることを示す情報を表示させる制御を行う表示制御手段と、を少なくとも備えるものである。
【００１３】
本発明においては、前記表示制御手段は、前記書き込み指示画面に、前記注文処理端末で受け付けた注文を管理する注文管理画面に遷移させるボタンを表示させる構成とすることができる。
【００１４】
また、本発明の表示制御プログラムは、ユーザから提供された画像ファイルを複数の記録媒体に振り分けて書き込む注文の処理に際して、コンピュータを、表示手段に、前記画像ファイルの書き込みを行う記録媒体を個々に選択させるためのボタンが設けられた書き込み指示画面を表示させる表示制御手段、として機能させるものである。
【００１５】
また、本発明の表示制御プログラムは、ユーザから提供された画像ファイルを複数の記録媒体に振り分けて書き込む注文の処理に際して、コンピュータを、前記複数の記録媒体の内、前記画像ファイルの書き込みが行われた記録媒体を特定する履歴情報を生成する手段、表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンを表示させない制御を行う表示制御手段、として機能させるものである。
【００１６】
また、本発明の表示制御プログラムは、ユーザから提供された画像ファイルを複数の記録媒体に振り分けて書き込む注文の処理に際して、コンピュータを、前記複数の記録媒体の内、前記画像ファイルの書き込みが行われた記録媒体を特定する履歴情報を生成する手段、表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンを選択できないように表示させる制御を行う表示制御手段、として機能させるものである。
【００１７】
また、本発明の表示制御プログラムは、ユーザから提供された画像ファイルを複数の記録媒体に振り分けて書き込む注文の処理に際して、コンピュータを、前記複数の記録媒体の内、前記画像ファイルの書き込みが行われた記録媒体を特定する履歴情報を生成する手段、表示手段に、前記画像ファイルの書き込みを行う記録媒体を個々に選択させるためのボタンが設けられた書き込み指示画面を表示させる際に、前記履歴情報を参照して、書き込み済みの記録媒体に対応する前記ボタンに対応付けて、該記録媒体が書き込み済みであることを示す情報を表示させる制御を行う表示制御手段、として機能させるものである。
【００１８】
また、本発明の注文処理方法は、表示手段に、注文処理端末で受け付けた注文を管理する注文管理画面を表示するステップと、前記注文管理画面で、ユーザから提供された画像ファイルを複数の記録媒体に振り分けて書き込む注文が選択された場合に、表示手段に、前記画像ファイルの書き込みを行う記録媒体を個々に選択させるためのボタンが設けられた書き込み指示画面を表示するステップと、選択された前記ボタンに対応する前記記録媒体に対して、振り分けられた前記画像ファイルを書き込むステップと、を少なくとも有するものである。
【００１９】
また、本発明の注文処理方法は、表示手段に、注文処理端末で受け付けた注文を管理する注文管理画面を表示するステップと、前記注文管理画面で、ユーザから提供された画像ファイルを複数の記録媒体に振り分けて書き込む注文が選択された場合に、表示手段に、前記画像ファイルの書き込みを行う記録媒体を個々に選択させるためのボタンが設けられた書き込み指示画面を表示するステップと、選択された前記ボタンに対応する前記記録媒体に対して、振り分けられた前記画像ファイルを書き込むステップと、前記画像ファイルの書き込みが行われた前記記録媒体を特定する履歴情報を生成するステップと、を少なくとも備え、書き込み指示画面を表示するステップでは、前記画像ファイルの書き込み後に前記書き込み指示画面を表示する際に、前記履歴情報を参照して、書き込み済みの記録媒体に対応する前記ボタンを表示させない制御を行うものである。
【００２０】
また、本発明の注文処理方法は、表示手段に、注文処理端末で受け付けた注文を管理する注文管理画面を表示するステップと、前記注文管理画面で、ユーザから提供された画像ファイルを複数の記録媒体に振り分けて書き込む注文が選択された場合に、表示手段に、前記画像ファイルの書き込みを行う記録媒体を個々に選択させるためのボタンが設けられた書き込み指示画面を表示するステップと、選択された前記ボタンに対応する前記記録媒体に対して、振り分けられた前記画像ファイルを書き込むステップと、前記画像ファイルの書き込みが行われた前記記録媒体を特定する履歴情報を生成するステップと、を少なくとも備え、書き込み指示画面を表示するステップでは、前記画像ファイルの書き込み後に前記書き込み指示画面を表示する際に、前記履歴情報を参照して、書き込み済みの記録媒体に対応する前記ボタンを選択できないように表示させる制御を行うものである。
【００２１】
また、本発明の注文処理方法は、表示手段に、注文処理端末で受け付けた注文を管理する注文管理画面を表示するステップと、前記注文管理画面で、ユーザから提供された画像ファイルを複数の記録媒体に振り分けて書き込む注文が選択された場合に、表示手段に、前記画像ファイルの書き込みを行う記録媒体を個々に選択させるためのボタンが設けられた書き込み指示画面を表示するステップと、選択された前記ボタンに対応する前記記録媒体に対して、振り分けられた前記画像ファイルを書き込むステップと、前記画像ファイルの書き込みが行われた前記記録媒体を特定する履歴情報を生成するステップと、を少なくとも備え、書き込み指示画面を表示するステップでは、前記画像ファイルの書き込み後に前記書き込み指示画面を表示する際に、前記履歴情報を参照して、書き込み済みの記録媒体に対応する前記ボタンに対応付けて、該記録媒体が書き込み済みであることを示す情報を表示させる制御を行うものである。
【００２２】
このように、本発明の構成によれば、ユーザから提供された画像ファイルが複数の記録媒体に振り分けて書き込まれる場合において、画像ファイルの書き込みを指示する書き込み指示画面に、画像ファイルの書き込みを行う記録媒体を個々に選択させるためのボタンが表示され、また、書き込み済みの記録媒体を特定する履歴情報を参照して、書き込み済みの記録媒体に対応するボタンを表示させない制御や、書き込み済みの記録媒体に対応するボタン選択できないように表示させる制御、又は書き込み済みの記録媒体に対応するボタンに対応付けて該記録媒体が書き込み済みであることを示す情報を表示させる制御が行われるため、注文処理を効率的に実行することができる。
【発明の効果】
【００２３】
本発明の注文処理端末及び表示制御プログラム並びに注文処理方法によれば、注文処理を効率的に実行することができる。
【００２４】
その理由は、本発明の注文処理端末では、ユーザから提供された画像ファイルが複数の記録媒体に振り分けて書き込まれる場合において、画像ファイルの書き込みを指示する書き込み指示画面に、画像ファイルの書き込みを行う記録媒体を個々に選択させるためのボタンが表示されるため、出力装置の稼働状態やユーザの要望などを考慮してオペレータが書き込みの順番を設定することができるからである。
【００２５】
また、各々の記録媒体への書き込みが終了したら書き込み済み記録媒体を特定する履歴情報が生成されて記憶され、書き込み指示画面には、該履歴情報を参照して、書き込み済みの記録媒体に対応するボタンを表示させない制御や、書き込み済みの記録媒体に対応するボタン選択できないように表示させる制御、又は書き込み済みの記録媒体に対応するボタンに対応付けて該記録媒体が書き込み済みであることを示す情報を表示させる制御が行われるため、記録媒体への書き込みの途中で他の作業を割り込ませることができるからである。
【発明を実施するための最良の形態】
【００２６】
本発明の注文処理端末は、その好ましい一実施の形態において、デジタルカメラやメディアなどから少なくとも画像ファイルを読み取るファイル読み取り手段と、選択された画像ファイルを複数の記録媒体に振り分ける振り分け手段と、複数の記録媒体の内、画像ファイルを書き込み済みの記録媒体を特定する履歴情報を生成する履歴情報生成手段と、該履歴情報を記憶する記憶手段と、画像ファイルの書き込みを指示する書き込み指示画面を表示手段に表示させる際に、画像ファイルの書き込みを行う記録媒体を個々に選択させるためのボタンを表示し、また、書き込み作業を一旦中断して再度書き込み作業を再開した場合には、履歴情報を参照して、書き込み済みの記録媒体に対応するボタンを表示させない制御や、書き込み済みの記録媒体に対応するボタンを選択できないように表示させる制御、又は書き込み済みの記録媒体に対応するボタンに対応付けて該記録媒体が書き込み済みであることを示す情報を表示させる制御を行う表示制御手段と、表示手段及び操作手段と、記録媒体作成装置やプリント作成装置などの出力装置に画像ファイルや注文情報ファイルなどを送信するファイル送信手段と、を少なくとも備える。これにより、書き込み指示画面での記録媒体の選択を可能にし、また、書き込み作業中での他の作業の割り込みを可能にし、注文処理を効率的に実行することができるようになる。
【実施例】
【００２７】
上記実施の形態について詳細に説明すべく、本発明の一実施例に係る注文処理端末及び表示制御プログラム並びに注文処理方法について、図１乃至図２０を参照して説明する。図１は、本実施例に係る注文処理システムの構成を模式的に示す図であり、図２乃至図４は、受付端末のバリエーションを示す図、図５は、受付端末の機能を示すブロック図である。また、図６及び図７は、本実施例の受付端末を用いた注文処理の手順を示すフローチャート図であり、図８乃至図２０は、受付端末の表示手段に表示される画面構成例を示す図である。
【００２８】
図１に示すように、本実施例の注文処理システム１は、ミニラボなどに写真店やコンビニエンスストアなどの注文店などに設置され、記録媒体の作成や写真プリントなどの注文を受け付け、該注文の処理を行う受付端末２と、写真店や生産店などに設置される記録媒体作成装置１１ａやプリント作成装置１１ｂなどの出力装置１０とで構成され、これらはＬＡＮやＷＡＮ、ＶＡＮなどの通信ネットワークを介して接続されている。
【００２９】
また、図５に示すように、本実施例の受付端末２は、スマートメディア、コンパクトフラッシュ（登録商標）、メモリースティック、ＳＤメモリーカード、マルチメディアカードなどのデジタルカメラ９用又はカメラ付き携帯電話機９ａ用の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などを用いて画像ファイルを読み取るファイル読み取り手段１５と、１枚の記録媒体１３に記録することができる数量として予め規定された数量や容量を参照して、画像選択画面で選択された画像ファイルを複数の記録媒体１３に振り分ける振り分け手段１６と、複数の記録媒体１３の内、画像ファイルの書き込みが行われた記録媒体１３を特定する履歴情報を生成する履歴情報生成手段１７と、該履歴情報などを記憶する記憶手段１８と、画像ファイルの書き込みを指示する書き込み指示画面を表示手段に表示させる際に、画像ファイルの書き込みを行う記録媒体を個々に選択させるためのボタンを表示する制御や、書き込み済みの記録媒体に対応するボタンを表示させない制御や、書き込み済みの記録媒体に対応するボタン選択できないように表示させる制御、又は書き込み済みの記録媒体に対応するボタンに対応付けて該記録媒体が書き込み済みであることを示す情報を表示させる制御などを行う表示制御手段１９と、ＬＣＤ、ＣＲＴ等の表示手段３と、ボタン、キーボード、マウス等の操作手段４と、記録媒体作成装置１１ａやプリント作成装置１１ｂなどの出力装置１０に画像ファイルや注文情報ファイルを送信するファイル送信手段２０とを備え、必要に応じて、注文番号が記録されたレシートを出力するレシートプリンタ７などが接続されている。なお、上記各手段はハードウェアとして構成されていてもよいし、コンピュータを、少なくとも、表示制御手段１９、又は、履歴情報生成手段１７及び表示制御手段１９として機能させる表示制御プログラムとして構成し、該表示制御プログラムを受付端末２にインストールして実行する構成としてもよい。
【００３０】
また、本実施例の記録媒体作成装置１１ａには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填する記録媒体装填部１４を備え、プリント作成装置１１ｂは、所定のプリントサイズ（Ｅ、Ｌ、ＬＤ、２Ｌ、２ＬＤ、ＫＧ、８つ、６つ、４つ、６つＷ、４つＷ、Ａ４、Ａ３など）、所定の種別（銀塩プリント、昇華プリントなど）、所定の形態（個別のプリント、インデックスプリント、ジャケットプリントなど）の写真プリント１２の作成を行う機能を備えている。
【００３１】
なお、図１では、受付端末２と記録媒体作成装置１１ａとプリント作成装置１１ｂとを別々の装置として記載しているが、例えば、図２に示すように、受付端末２と記録媒体作成装置１１ａの機能を兼ね備えたコンピュータ機器としてもよいし、図３に示すように、受付端末２と記録媒体作成装置１１ａとプリント作成装置１１ｂとが一体となったキオスク（無人端末）などとしてもよい。また、図１では、受付端末２が記録媒体作成装置１１ａやプリント作成装置１１ｂなどの出力装置１０を制御する構成としているが、図４に示すように、受付端末２と出力装置１０との間に注文を管理する注文管理端末２ａを設け、該注文管理端末２ａの表示手段に上述した書き込み指示画面を表示させて注文を処理する構成としてもよい。以下、受付端末２や注文管理端末２ａなど（これらを総称して注文処理端末と呼ぶ。）を用いた注文の処理について説明するが、本実施例では注文処理端末として受付端末２を用いる場合を主にして説明する。
【００３２】
上記構成の受付端末２を用いてユーザが注文を行う手順について、図６のフローチャート図を参照して説明する。
【００３３】
まず、受付端末２の表示手段３に、例えば、図８に示すような作業選択画面２１が表示される。この作業選択画面２１には、画像ファイルから写真プリント１２を作成するのか、画像ファイルを記録した記録媒体１３を作成するのか、又はその双方を作成するのかなどの作業を選択するボタンが表示され、ステップＳ１０１で、ユーザはその中から所望の作業（ここでは記録媒体１３の作成、又は、記録媒体１３及び写真プリント１２の作成）を選択する。その後、ステップＳ１０２で、メディア装填部５にメディア８を装填、又は機器接続部６にデジタルカメラ９を接続する。
【００３４】
次に、ステップＳ１０３で、写真プリント１２の作成が選択されている場合は、ステップＳ１０４で、表示制御手段１９は、表示手段３に例えば図９に示すような写真プリント１２のプリントサイズをユーザに選択させるためのプリントサイズ選択画面２２を表示させる。このプリントサイズ選択画面２２には、Ｅ、Ｌ、ＬＤ、２Ｌ、２ＬＤ、ＫＧ、８つ、６つ、４つ、６つＷ、４つＷ、Ａ４、Ａ３などの各種プリントサイズが選択可能に表示されており、ユーザは操作手段４を操作して所望のプリントサイズを選択する。
【００３５】
次に、ステップＳ１０５で、表示制御手段１９は、表示手段３に例えば図１０に示すような納期をユーザに選択させるための納期選択画面２３を表示させる。この納期選択画面２３には、特急、普通、翌日などの各種納期が選択可能に表示されており、ユーザは操作手段４を操作して所望の納期を選択する。
【００３６】
次に、ステップＳ１０５の処理の後に、又は、ステップＳ１０３からＳ１０５の処理と並行して、ステップＳ１０６で、ファイル読み取り手段１５は、メディア装填部５に装填されたメディア８や機器接続部６に接続されたデジタルカメラ９から画像ファイルと必要に応じてＤＰＯＦ（Digital Print Order Format）ファイルなどの注文情報ファイルを読み取る。
【００３７】
次に、表示制御手段１９は、表示手段３に、例えば図１１に示すような一括選択画面２４を表示させた後、例えば図１２に示すような画像選択画面２５を表示させる。この画像選択画面２５には、各々の画像ファイルの画像を日付順やファイル名順などの予め定められた順番（図ではファイル名の昇順）で配列するための複数の枠が設けられており、各々の枠の近傍には、対応する画像ファイルに対する処理を設定するためのボタン（ディスク作成モードの場合は画像を回転させるためのボタンや画像の選択／解除を指示するためのボタン、画像を拡大表示するためのボタンなど）が設けられている。そして、ステップＳ１０７でユーザは画像選択画面２５に表示された画像ファイルの中から処理の対象となる画像ファイル（ここでは、記録媒体１３に記録する画像ファイル）を選択する。
【００３８】
そしてユーザが画像選択画面２５で所望の画像ファイルを選択すると、ステップＳ１０８で、振り分け手段１６は、選択された画像ファイルの数量や容量と、予め定められた数量（規定数量と呼ぶ。）や予め定められた容量（規定容量と呼ぶ。）とを比較し、選択された画像ファイルの数量や容量が規定数量や規定容量を超過している場合は、超過している数量や容量に対応する画像ファイルを順に次の記録媒体１３に振り分ける制御を行い、各々の記録媒体１３に書き込む画像ファイルを特定する。
【００３９】
具体的に説明すると、例えば、規定数量を１００コマとし、選択された画像ファイルの数量が２５０コマであったとすると、振り分け手段１６は、１コマ目から１００コマ目までの画像ファイルを１枚目の記録媒体１３に振り分け、１０１コマ目から２００コマ目までの画像ファイルを２枚目の記録媒体１３に振り分け、２０１コマ目から２５０コマ目までの画像ファイルを３枚目の記録媒体１３に振り分ける。
【００４０】
次に、ステップＳ１０９で、写真プリント１２の作成が選択されている場合は、プリント対象となる画像ファイルのＥＸＩＦ（Exchangeable Image File Format）情報や注文情報ファイルに日付情報が記録されているかを判断し、プリント対象となる少なくとも１つの画像ファイルに日付情報が記録されている場合又は注文情報ファイルに日付情報が記録されている場合は、写真プリント１２に日付を書き込むことができるため、表示制御手段１９は、例えば、図１３に示すような、写真プリント１２に日付を書き込むか否かを選択するボタンが表示された日付有り／無し選択画面２６を表示手段３に表示させる。
【００４１】
次に、ステップＳ１１０で、ユーザは日付有り／無し選択画面２６で日付の有り／無しを選択し、日付無しを選択した場合は、画像ファイル又は注文情報ファイルの少なくとも一方の所定の記述場所にその画像ファイルに基づく画像に日付が書き込まれないようにする処理を行うなどして、日付無しに設定する。また、日付有りを選択した場合は、注文情報ファイルの日付指定に関する記述場所にＥＸＩＦ情報に記述された日付情報を書き込むなどして、日付有りに設定する。
【００４２】
その後、ステップＳ１１１で、上記手順で設定された注文の内容が注文情報ファイルに記録され、該注文情報ファイルが受付端末２の記憶手段１８に記憶され（又は、注文管理端末２ａを備える構成の場合は該注文管理端末２ａに注文情報ファイルが送信され）、必要に応じてレシートプリンタ７を用いて注文番号が記録されたレシートが出力され、受付端末２での注文受付処理が終了する。
【００４３】
そして、写真店や注文店のオペレータは、注文情報ファイルが記憶された受付端末２（又は注文情報ファイルが送信された注文管理端末２ａ）を操作して、記録媒体作成装置１１ａやプリント作成装置１１ｂなどの出力装置１０を制御して記録媒体１３の作成や写真プリント１２の作成を開始する。以下、受付端末２（又は、注文管理端末２ａを備える構成では該注文管理端末２ａ）を用いてオペレータが注文を処理する手順について、図７のフローチャート図を参照して説明する。
【００４４】
まず、ステップＳ２０１で、オペレータが操作手段４を操作して注文管理モードに設定すると、表示制御手段１９は、表示手段３に例えば、図１４に示すような注文管理画面２７を表示させる。この注文管理画面２７には、受付端末２に記憶された注文の内、未処理の注文と処理済みの注文とを分類するタグ２８と、各々の注文の内容を受付番号毎に表示する一覧表示欄２９とが設けられており、オペレータは未処理の注文の中から処理しようとする注文（ここでは受付番号０１００３）を選択する。
【００４５】
次に、ステップＳ２０２で、表示制御手段１９は、表示手段３に例えば、図１５に示す作業内容選択画面３０を表示させる。この作業内容選択画面３０には、選択された注文に含まれる作業を示すボタン（図中の”プリント”、”ディスク”、”ジャケット”、”インデックス”の各ボタン）が設けられており、オペレータは該ボタンの中から実行する作業（ここでは記録媒体１３の作成に対応する”ディスク”）を選択する。
【００４６】
ここで、従来の受付端末２では、画像ファイルが複数の記録媒体１３（ここでは３枚）に振り分けて書き込まれる場合に、どのような順番で画像ファイルの書き込みを行うかが予め定められており、作業が選択されたら直ちに予め定められた順番で記録媒体１３に画像ファイルが書き込まれるため、例えば、出力装置１０の稼働状態やユーザの要望などを考慮してオペレータが書き込みの順序を変更することができず、注文処理を効率的に実行することができなかった。
【００４７】
そこで、本実施例では、ステップＳ２０３で書き込み開始が指示された場合は、オペレータが任意の順番で記録媒体１３に画像ファイルを書き込むことができるように、ステップＳ２０４で、表示制御手段１９は、画像ファイルの書き込みを行う記録媒体１３が選択できるように表示された書き込み指示画面３１を表示手段３に表示させる。この書き込み指示画面３１には、例えば、図１６に示すように、画像ファイルの書き込みを行う記録媒体１３を個々に選択させるためのボタン（図中のディスク１〜ディスク３）が表示されており、オペレータは操作手段４で該ボタンの中から所望のボタンを選択することによって、選択された記録媒体１３に対して画像ファイルの書き込みを行うことができる。なお、図１６では、３つの記録媒体１３に対応するボタンを表示しているが、複数の記録媒体１３に対応するボタンが表示されていればよく、また、複数の記録媒体１３の一部を複数枚作成する構成（例えば、ディスク２を２枚作成するなど）とすることもできる。
【００４８】
そして、オペレータが操作手段４を操作して複数の記録媒体１３の中から書き込みを行う記録媒体１３（ここではディスク２）を選択し、ステップＳ２０５で”書き込み開始”ボタンを押すと、ファイル送信手段１９は選択された記録媒体１３に書き込むべき画像ファイルを記録媒体作成装置１１ａに送信して、ステップＳ２０６で、記録媒体作成装置１１ａは、記録媒体装填部１４に装填された記録媒体１３に画像ファイルの書き込みを行うと共に、受付端末２の表示制御手段１９は、表示手段３に、図１７に示すような、選択された記録媒体１３に対する書き込みの進捗状況を示す書き込み状況確認画面３２を表示させる。そして、１枚目の記録媒体１３（ここではディスク２）への書き込みが終了したら、ステップＳ２０７で、履歴情報生成手段１７は、書き込みが行われた記録媒体１３を特定する履歴情報を生成し、該履歴情報を注文情報に関連付けて記憶手段１８に記憶させる。この履歴情報は、書き込みが行われた記録媒体１３を特定することができる情報を含んでいればよく、その具体的構成は特に限定されない。
【００４９】
次に、ステップＳ２０８で、複数の記録媒体１３の全てに画像ファイルを書き込んだかを判断し、画像ファイルを書き込んでいない記録媒体１３があれば、ステップＳ２０４に戻り、表示制御手段１９は、表示手段３に書き込み指示画面３１を表示させ、次に画像ファイルを書き込む記録媒体１３を選択させる。
【００５０】
ここで、表示手段３に書き込み指示画面３１を表示させる際に、書き込み済みの記録媒体１３に対応するボタンを初回と同様に表示すると、どの記録媒体１３に対して書き込みを行ったかをオペレータが識別することができなくなってしまう。そこで、本実施例では、表示制御手段１９は、一部の記録媒体１３に書き込みを行った後に書き込み指示画面３１を表示させる場合は、記憶手段１８に記憶された履歴情報を参照して、書き込み済みの記録媒体１３を識別できるように表示を制御する。
【００５１】
この表示の制御方法としては、例えば、図１８に示すように、書き込み済みの記録媒体１３（ここではディスク２）に対応するボタンを書き込み指示画面３１に表示させないように制御したり、図１９に示すように、書き込み済みの記録媒体１３に対応するボタンを選択できないように（すなわち、操作手段４で操作できないように）表示することができる。また、これらの制御に代えて又はこれらの制御に加えて、図２０に示すように、書き込み済みの記録媒体１３に対応するボタンに対応付けて、該記録媒体１３が書き込み済みであることを示す文字や図形、イラストなどの情報（ここでは、”書き込み済み”の文字）を表示してもよい。このような制御を行うことにより、間違った記録媒体１３を選択することがなくなり、注文処理を効率的に実行することができる。
【００５２】
また、従来の受付端末２では、一旦書き込み作業を中断して他の作業を行うと、全ての記録媒体１３に対して再度書き込みを行わなければならなかったため、例えば、プリント作成装置１１ｂが注文待ちの状態になっており、直ちに写真プリント１２の作成ができる場合でも、全ての記録媒体１３への書き込みが終了するまで他の作業を実行することができなかったが、本実施例では、書き込み済みの記録媒体１３を識別することができるため、書き込み作業の途中で他の作業を割り込ませることが可能である。そこで、表示制御手段１９は、書き込み指示画面３１に、書き込み作業を中断して注文管理画面２７に戻って他の作業を行うためのボタン（図中の”メイン画面へ”ボタン）を設けている。
【００５３】
そして、ステップＳ２０５で、”書き込み開始”ボタンが選択されたら、同様に記録媒体１３に画像ファイルを書き込み、”メイン画面へ”ボタンが選択されたら、ステップＳ２０１に戻り、表示手段３に注文管理画面２７を表示させ、該注文管理画面２７でオペレータは割り込ませる注文を選択し、作業内容選択画面３０でその中から実行する作業を選択し、ステップＳ２０９で他の作業（例えば、写真プリント１２の作成など）を行う。そして、他の作業を実行したら、ステップＳ２１０で、作業を終了するかを判断し、作業を終了しない場合は、ステップＳ２０１に戻って注文管理画面２７を表示させ、作業を終了する場合は、ステップＳ２１１で、レシートと引き替えに、作成した記録媒体１３や写真プリント１２をユーザに提供して一連の注文処理を終了する。
【００５４】
このように、本実施例の受付端末２では、画像ファイルの書き込みを指示する書き込み指示画面３１を表示させる際に、画像ファイルの書き込みを行う記録媒体１３を個々に選択させるためのボタンを表示する制御や、履歴情報を参照して、書き込み済みの記録媒体１３に対応するボタンを表示させない制御や、書き込み済みの記録媒体１３に対応するボタン選択できないように表示させる制御、又は書き込み済みの記録媒体１３に対応するボタンに対応付けて該記録媒体１３が書き込み済みであることを示す情報を表示させる制御が行われるため、オペレータは選択した記録媒体１３に対して書き込みを行うことができ、また、書き込み作業中に他の作業を割り込ませることができるため、注文処理を効率的に実行させることができる。
【００５５】
なお、上記実施例では、受付端末２で注文の受付と注文の処理とを実行する構成としたが、受付端末２で注文の受付のみを行い、注文管理端末２ａで注文の処理を行う場合についても同様に適用することができる。また、上記実施例では、デジタルカメラ９やメディア８に記録された画像ファイルを用いた処理について説明したが、本発明は上記実施例に限定されるものではなく、ネガフィルムから読み取った画像ファイル、通信ネットワークを介して取得した画像ファイルや音楽ファイルなどに対しても同様に適用することができる。
【図面の簡単な説明】
【００５６】
【図１】本発明の一実施例に係る注文処理システムの構成を模式的に示す図である。
【図２】本発明の一実施例に係る受付端末のバリエーションを示す図である。
【図３】本発明の一実施例に係る受付端末のバリエーションを示す図である。
【図４】本発明の一実施例に係る受付端末のバリエーションを示す図である。
【図５】本発明の一実施例に係る受付端末の機能を示すブロック図である。
【図６】本発明の一実施例に係る受付端末を用いた注文の手順を示すフローチャート図である。
【図７】本発明の一実施例に係る受付端末を用いた注文処理の手順を示すフローチャート図である。
【図８】本発明の一実施例に係る受付端末の表示手段に表示される画面構成例（作業選択画面）を示す図である。
【図９】本発明の一実施例に係る受付端末の表示手段に表示される画面構成例（プリントサイズ選択画面）を示す図である。
【図１０】本発明の一実施例に係る受付端末の表示手段に表示される画面構成例（納期選択画面）を示す図である。
【図１１】本発明の一実施例に係る受付端末の表示手段に表示される画面構成例（一括選択画面）を示す図である。
【図１２】本発明の一実施例に係る受付端末の表示手段に表示される画面構成例（画像選択画面）を示す図である。
【図１３】本発明の一実施例に係る受付端末の表示手段に表示される画面構成例（日付有り／無し選択画面）を示す図である。
【図１４】本発明の一実施例に係る受付端末の表示手段に表示される画面構成例（注文管理画面）を示す図である。
【図１５】本発明の一実施例に係る受付端末の表示手段に表示される画面構成例（作業内容選択画面）を示す図である。
【図１６】本発明の一実施例に係る受付端末の表示手段に表示される画面構成例（書き込み指示画面）を示す図である。
【図１７】本発明の一実施例に係る受付端末の表示手段に表示される画面構成例（書き込み状況確認画面）を示す図である。
【図１８】本発明の一実施例に係る受付端末の表示手段に表示される書き込み指示画面の他の構成を示す図である。
【図１９】本発明の一実施例に係る受付端末の表示手段に表示される書き込み指示画面の他の構成を示す図である。
【図２０】本発明の一実施例に係る受付端末の表示手段に表示される書き込み指示画面の他の構成を示す図である。
【符号の説明】
【００５７】
１  注文処理システム
２  受付端末
２ａ  注文管理端末
３  表示手段
４  操作手段
５  メディア装填部
６  機器接続部
７  レシートプリンタ
８  メディア
９  デジタルカメラ
９ａ  カメラ付き携帯電話機
１０  出力装置
１１ａ  記録媒体作成装置
１１ｂ  プリント作成装置
１２  写真プリント
１３  記録媒体
１４  記録媒体装填部
１５  ファイル読み取り手段
１６  振り分け手段
１７  履歴情報生成手段
１８  記憶手段
１９  表示制御手段
２０  ファイル送信手段
２１  作業選択画面
２２  プリントサイズ選択画面
２３  納期選択画面
２４  一括選択画面
２５  画像選択画面
２６  日付有り／無し選択画面
２７  注文管理画面
２８  タグ
２９  一覧表示欄
３０  作業内容選択画面
３１  書き込み指示画面
３２  書き込み状況確認画面
【図１】
2006146383.tif 000003
【図２】
2006146383.tif 000004
【図３】
2006146383.tif 000005
【図４】
2006146383.tif 000006
【図５】
2006146383.tif 000007
【図６】
2006146383.tif 000008
【図７】
2006146383.tif 000009
【図８】
2006146383.tif 000010
【図９】
2006146383.tif 000011
【図１０】
2006146383.tif 000012
【図１１】
2006146383.tif 000013
【図１２】
2006146383.tif 000014
【図１３】
2006146383.tif 000015
【図１４】
2006146383.tif 000016
【図１５】
2006146383.tif 000017
【図１６】
2006146383.tif 000018
【図１７】
2006146383.tif 000019
【図１８】
2006146383.tif 000020
【図１９】
2006146383.tif 000021
【図２０】
2006146383.tif 000022